(57)【要約】【課題】画像投射装置を載置台に載置したときに、被投射面に向かう投射光を接続線で遮ることなく、画像投射装置周辺の載置台上の空間をより有効に使用することができる画像投射装置を提供する。【解決手段】光源と、光源からの光を利用して画像を形成する画像形成部と、画像形成部で形成された画像を外部のスクリーン２に向けて投射光Ｌとして投射する投射レンズ３１と、外部との接続線が接続される入出力コネクタ部１１とを有し、投射レンズ３１を装置本体のスクリーン２側の外面に配置するプロジェクタ１において、入出力コネクタ部１１を、装置本体の被投射面側の外面であって、外部の装置設置箇所に対して載置または固定される装置底面１０１が水平となるように設置したときに投射レンズ３１の中心を通るレンズ中心水平面Ｓを挟んで装置底面１０１と同じ側となる部分に配置している。【選択図】図１
2013257375.tif 000002
【特許請求の範囲】
【請求項１】
光源と、
該光源からの光を利用して画像を形成する画像形成部と、
該画像形成部で形成された画像を外部の被投射面に向けて投射光として投射する投射光学部と、
外部との接続線が接続される外部接続部とを有し、該投射光学部を装置本体の被投射面側の外面に配置する画像投射装置において、
上記外部接続部を、装置本体の被投射面側の外面であって、外部の装置設置箇所に対して載置または固定される装置底面が水平となるように設置したときに上記投射光学部の中心を通る仮想水平面を挟んで該装置底面と同じ側となる部分に配置していることを特徴とする画像投射装置。
【請求項２】
請求項１の画像投射装置において、
上記外部接続部を備えた回路基板を上記仮想水平面に対して略平行に配置したことを特徴とする画像投射装置。
【請求項３】
請求項１または２の記載の画像投射装置において、
上記仮想水平面に対して略平行に装置内の空間を二つに仕切る仕切り部材を備え、
該仕切り部材によって仕切られた一方の空間に、上記光源と、上記画像形成部と、上記投射光学部とを配置し、
該仕切り部材によって仕切られた他方の空間に、上記外部接続部を備えた回路基板を配置したことを特徴とする画像投射装置。
【請求項４】
請求項３の画像投射装置において、
外部からの空気を上記他方の空間に取り込む吸気手段と、
上記仕切り部材における上記光源と対向する位置の近傍に形成され、該他方の空間から上記一方の空間に向かう空気が通過する通気口と、
該一方の空間の空気を装置外に排出する排気手段とを備えることを特徴とする画像投射装置。
【発明の詳細な説明】
【技術分野】
【０００１】
本発明は、画像投射装置に関するものである。
【背景技術】
【０００２】
従来から、パソコンやビデオカメラ等からの画像データを基に、光源から出射される光を用いて画像形成部により画像を形成し、その画像をスクリーン等の被投射面に投射して表示する画像投射装置が知られている（特許文献１〜５）。
画像投射装置では、大画面に画像を投射できること（投射画面の大画面化）と共に画像投射装置の装置本体外に投射のために必要とされる投射空間を出来るだけ小さくできることが要請されている。ここで投射空間とは、画像投射装置から被投射面に向かう投射光が通過する空間である。投射空間は、画像投射装置から被投射面までの距離である投射距離を短くすることで小さくすることができるが、画像投射装置が備える投射光学部から投射された投射光によって形成される画像が所望の大きさとなるためには、被投射面に対してある程度の投射距離を置いて画像投射装置を設置する必要があった。
しかし、近年、投射光学部の性能が向上し、投射距離が１〜２［ｍ］で投射画面の大きさとして６０型〜８０型に相当する投射画面に画像を投射できる画像投射装置が主流となってきている（例えば特許文献５）。
【０００３】
画像投射装置を使用する環境としては、スクリーン等の被投射面の正面に配置された載置台の上に画像投射装置を載置して使用する環境が一般的である。また、会議で使用する場合、載置台として長机を使用し、長机の長手方向が被投射面の正面から離れる方向となるように長机を配置し、その長辺に向かい合うようにして閲覧者が位置する状態で使用されることがある。
このように載置台としての長机の上に、従来の投射距離が長い画像投射装置を載置して使用する場合、投射距離を確保しつつ、閲覧者と被投射画面との距離を離さないために、長机は被投射面の近くに配置しつつ、画像投射装置は長机上における被投射面から離れた位置に配置していた。このような使用環境の場合、長机上の画像投射装置よりも被投射面側の空間が空いているが、この空間に物を置いたり、この空間で作業をしたりすると、画像投射装置の投射光を遮ることがあり、投射光を遮ると投射画面の画像が乱れるため、上記長机上の空間は自由に使用することができなかった。
一方、近年の投射距離が短い画像投射装置を用いた使用環境では、画像投射装置を長机の前側（被投射面側）の端部近傍に配置することができ、長机における画像投射装置の後ろ側（画像投射装置を挟んで被投射面とは反対側）の空間を自由に使用できる。
【発明の概要】
【発明が解決しようとする課題】
【０００４】
しかしながら、近年の投射距離が短い画像投射装置においても、電源との接続や外部との画像情報等の入出力等を行う外部接続部は、装置の側面のうち投射光を発する投射光学部が配置された側面以外の面、すなわち、投射光学部が配置された側面を正面としたときの背面や左右側面に、設けられていた。このように、画像投射装置の背面や左右側面に外部接続部を配置すると、外部接続部に接続する接続線等が長机上に散乱し、長机の自由に使用できる空間が少なくなるという課題が生じる。
【０００５】
本発明は以上の問題点に鑑みなされたものであり、その目的は、画像投射装置を載置台に載置したときに、被投射面に向かう投射光を接続線で遮ることなく、画像投射装置周辺の載置台上の空間をより有効に使用することができる画像投射装置を提供することである。
【課題を解決するための手段】
【０００６】
上記目的を達成するために、本願請求項１の発明は、光源と、該光源からの光を利用して画像を形成する画像形成部と、該画像形成部で形成された画像を外部の被投射面に向けて投射光として投射する投射光学部と、外部との接続線が接続される外部接続部とを有し、該投射光学部を装置本体の被投射面側の外面に配置する画像投射装置において、上記外部接続部を、装置本体の被投射面側の外面であって、外部の装置設置箇所に対して載置または固定される装置底面が水平となるように設置したときに上記投射光学部の中心を通る仮想水平面を挟んで該装置底面と同じ側となる部分に配置していることを特徴とするものである。
【０００７】
本発明においては、外部接続部を装置本体の被投射面側の外面に配置しているため、画像投射装置を載置台に載置したときに、画像投射装置と被投射面との間の空間に外部接続部に接続された接続線を垂らすことができる。ここで、単純に装置本体の被投射面側の外面に外部接続部を配置すると、外部接続部から垂れ下がる接続線が投射光を遮るおそれがある。これを回避するために、本発明においては、外部接続部を、投射光学部投射部の中心を通る仮想水平面を挟んで装置底面と同じ側となる部分に配置している。これにより、外部接続部に接続された接続線は載置台に支持される装置底面側に垂れ下がり、接続線が投射水平面を挟んで装置底面とは反対側に位置することを防止できるため、接続線が外部接続部から垂れ下がったときに投射光を遮ることを防止できる。また、画像投射装置と被投射面との間の空間は、投射光が通過する空間であり、通常は、物を置いたり、作業をしたりしない空間であるため、接続線が垂れていても問題は生じない。
このように、外部接続部に接続された接続線は、投射光を遮ることなく画像投射装置と被投射面との間の空間に垂らすことが可能となるため、画像投射装置の背面や左右側面に外部接続部を設けたときのように載置台上に接続線が散乱することがなく、画像投射装置周辺の載置台上の空間をより有効に使用することができる。
【発明の効果】
【０００８】
本発明によれば、画像投射装置を載置台に載置したときに、被投射面に向かう投射光を接続線で遮ることなく、画像投射装置周辺の載置台上の空間をより有効に使用することができるという優れた効果がある。
【図面の簡単な説明】
【０００９】
【図１】プロジェクタの側方断面図。
【図２】プロジェクタの外観図、（ａ）は斜視図、（ｂ）は側面図。
【図３】光学装置及び光源装置の説明図、（ａ）は、上部外装カバーを取り外した状態のプロジェクタの斜視図、（ｂ）は、光学装置及び光源装置の斜視図。
【図４】光学装置と光源装置との水平断面。
【図５】プロジェクタの正面図。
【図６】プロジェクタの使用環境の説明図、（ａ）は、入出力コネクタ部がプロジェクタの背面にある場合の説明図、（ｂ）は、本発明に係るプロジェクタを用いた場合の説明図。
【図７】プロジェクタにおける排気方向を説明する上面図。
【図８】プロジェクタの装置内の斜視説明図、（ａ）上部外装カバーを取り外した状態のプロジェクタの上方斜視図、（ｂ）は、上部外装カバーと下部外装カバーとを取り外した状態のプロジェクタの下方斜視図。
【図９】ベース筐体に対する光学装置及び光源装置と、プリント回路基板との組み付けの説明図。
【図１０】ベース筐体をプロジェクタにおける左側面側から見た斜視図、（ａ）は、上方から見た斜視図、（ｂ）は、（ａ）中のβで示す領域近傍を斜め下方から見た斜視拡大図。
【図１１】ベース筐体をプロジェクタにおける右側面側から見た斜視図、（ａ）は、上方から見た斜視図、（ｂ）は、（ａ）中のγで示す領域近傍を斜め下方から見た斜視拡大図。
【図１２】外装カバーが取り付けられた状態のプロジェクタの斜視図、（ａ）は背面側斜視図、（ｂ）は正面側斜視図。
【図１３】外装カバーを取り外し、光源装置及び光学装置を取り外した状態のプロジェクタの斜視図、（ａ）は背面側斜視図、（ｂ）は正面側斜視図。
【発明を実施するための形態】
【００１０】
以下、本発明を適用される画像投射装置としてのプロジェクタ（以下、単に、プロジェクタ１と呼ぶ）の実施形態について説明する。
図２は、本実施形態に係るプロジェクタ１の外観図であり、図２（ａ）は斜視図、図２（ｂ）は側面図である。なお、図２（ｂ）では、プロジェクタ１の投射レンズ３１から発した投射光Ｌが被投射面であるスクリーン２に照射されている状態を示している。
【００１１】
図３は、プロジェクタ１が備える光学装置３及び光源装置４の説明図である。図３（ａ）は、図２（ａ）に示す状態から上部外装カバー１ａを取り外した状態のプロジェクタ１の斜視図であり、図３（ｂ）は、図３（ａ）中のαで囲う領域に配置された光学装置３及び光源装置４の斜視図である。
【００１２】
図４は、照明機構３ａ及び投射機構３ｂからなる光学装置３と、光源装置４との水平断面（Ｘ−Ｙ断面）図であり、光学装置３の構成の詳細を示している。図４に示すように、光学装置３は、カラーホイール５、ライトトンネル６、リレーレンズ７、平面ミラー８、凹面ミラー９及び画像表示素子機構１０等を備える。
【００１３】
円盤状のカラーホイール５は、光源装置４からの白色光を単位時間毎にＲＧＢの各色が繰り返す光に変換してライトトンネル６に向けて出射する。ライトトンネル６は、板ガラスを張り合わせて筒状に構成されたものであり、カラーホイール５から出射する光をリレーレンズ７に導く部材である。リレーレンズ７は、二枚のレンズを組み合わせて構成されたものであり、ライトトンネル６から出射される光の軸上色収差を補正しつつ集光する部材である。平面ミラー８及び凹面ミラー９は、リレーレンズ７より出射される光を反射して画像表示素子機構１０に案内して、集光させる部材である。画像表示素子機構１０は、複数のマイクロミラーからなる略矩形のミラー面を有し、映像データに基づいて各マイクロミラーが時分割駆動されることにより、所定の映像を形成するように投射光を加工して反射するＤＭＤ（Ｄｉｇｉｔａｌ  Ｍｉｃｒｏ‐ｍｉｒｒｏｒ  Ｄｅｖｉｃｅ）素子を備えた部材である。
【００１４】
本実施形態のプロジェクタ１では、光源装置４が備える光源として高圧水銀ランプを採用している。光源装置４は光学装置３の照明機構３ａに向けて白色光を照射する。照明機構３ａ内では、光源装置４から照射された白色光をＲＧＢに分光し、画像表示素子機構１０へ導き、画像表示素子機構１０によって変調信号に応じて画像形成し、その画像を投射機構３ｂで拡大投射する構成である。
【００１５】
図４中の画像表示素子機構１０の図中手前側となる画像表示素子機構１０の鉛直上方には、画像表示素子機構１０に入射した光のうち、投射光Ｌに使用しない不要な光を受光する不図示のＯＦＦ光板が配置されている。画像表示素子機構１０に光が入射すると、ＤＭＤ素子の働きにより時分割で映像データに基づいて複数のマイクロミラーが作動し、このマイクロミラーによって使用する光は投射レンズ３１へ反射し、捨てる光はＯＦＦ光板へ反射する。
画像表示素子機構１０では、投射画像に使用する光は投射機構３ｂへ反射し、複数の投射レンズ３１を通り拡大され、この拡大された映像光は図２（ｂ）に示すようにスクリーン２上へ拡大投射される。
【００１６】
図５は、プロジェクタ１をスクリーン２側の外面である正面側から見たプロジェクタ１の正面図である。
本実施形態のプロジェクタ１は、投射レンズ３１の下側に電源入力部１１０、アナログデータ入力部１１１、ビデオＲＣＡ端子１１２、ＨＤＭＩ端子１１３及びＵＳＢ端子１１４及びステレオミニジャック１１５等の複数のインターフェースが配置された入出力コネクタ部１１を備える。電源入力部１１０は、電源の入力を行う「ＡＣ／Ｉｎｌｅｔ」であり、アナログデータ入力部１１１は、パーソナルコンピューターなどの外部機器とのアナログデータ入出力を行う「Ｄ‐Ｓｕｂ１５−Ｔｅｒｍｉｎａｌ」である。ビデオＲＣＡ端子１１２は、映像の入力端子であり、ＨＤＭＩ端子１１３やＵＳＢ端子１１４は、映像や音声のデジタル信号の通信を行う端子であり、ステレオミニジャック１１５は音声の入出力を行う端子である。
また、投射レンズ３１の右側に、ＬＡＮコネクタ部７２及び第二ＵＳＢ端子７１を配置した側方コネクタ部７０を備える。
【００１７】
プロジェクタ１は、パーソナルコンピューターやビデオカメラ等から入力される映像データを基に映像を生成し、その映像をスクリーン２等の被投射面に投射表示する装置である。プロジェクタ１のような画像投射装置として広く知られた液晶プロジェクタは、近来、液晶パネルの高解像化、光源ランプの高効率化に伴う明るさの改善、低価格化などが進んでいる。
また、Ｄｉｇｉｔａｌ  Ｍｉｃｒｏ‐ｍｉｒｒｏｒ  Ｄｅｖｉｃｅ（以下、「ＤＭＤ」とよぶ）を利用した小型軽量な画像投射装置が普及し、オフィスや学校のみならず家庭においても広く画像投射装置が利用されるようになってきている。
【００１８】
特に、フロントタイプの画像投射装置は携帯性が向上し、数人規模の小会議にも使われるようになってきている。プロジェクタ１のような画像投射装置には、大画面の画像を投射できること（投射画面の大画面化）と共に「プロジェクタ外に必要とされる投射空間」をできるだけ小さくできることが要請されている。
近年では光学系の性能が向上し、投射距離が１〜２［ｍ］で投射画面の大きさとして６０型〜８０型に相当する投射画面に画像を投射できる画像投射装置が主流となってきている。画像投射装置を使用する環境としては、スクリーン等の被投射面の正面に配置された載置台の上に画像投射装置を載置して使用する環境が一般的である。また、会議で使用する場合、載置台として長机を使用し、長机の長手方向が被投射面の正面から離れる方向となるように長机を配置し、その長辺に向かい合うようにして閲覧者が位置する状態で使用されることがある。このように長机に載置する場合、近年の投射距離が短い画像投射装置を用いることで、投射距離が長いものに比べて、画像投射装置を長机の前側（被投射面側）の端部近傍に配置することができ、長机における画像投射装置の後ろ側（画像投射装置を挟んで被投射面とは反対側）の空間を自由に使用できる。
【００１９】
しかし、投射距離が短い画像投射装置であっても、電源との接続や外部との画像情報等の入出力等を行う外部接続部が画像投射装置の背面や左右側面に配置されている、外部接続部に接続するケーブル等が長机上に散乱し、長机の自由に使用できる空間が少なくなるという課題が生じる。
図６は、スクリーン２の前に配置された長机としての会議机４２の上に、プロジェクタ１とパーソナルコンピューター４１とを載置したプロジェクタ１の使用環境の説明図である。図６（ａ）は、入出力コネクタ部１１をプロジェクタ１の背面に設けた構成の説明図であり、図６（ｂ）は、本実施形態のプロジェクタ１を用いた場合の説明図である。
図６（ａ）に示すように、入出力コネクタ部１１をプロジェクタ１の背面に設けた構成では、パーソナルコンピューター４１と接続する信号ケーブル４４と電源ケーブル４３とが会議机４２の上に散乱してしまう。
【００２０】
一方、本実施形態のプロジェクタ１では、投射レンズ３１が配置された装置本体の正面（以下、「投射面」とも呼ぶ。）の投射レンズ３１の下側に入出力コネクタ部１１を配置している。このような構成によって、図６（ｂ）に示すように、プロジェクタ１をスクリーン２から１［ｍ］〜２［ｍ］程離れた会議机４２等のテーブルのスクリーン２側の端部に載置して使用するときに、入出力コネクタ部１１に接続されたケーブル類（４２や４３）を会議机４２の先端側から下側に垂らしておくことが出来る。これにより、プロジェクタ１周辺の会議机４２上にケーブル類が散乱することなく、会議机４２上のスペースをより有効に使用することができる。
【００２１】
図１は、投射しているプロジェクタ１を図５中の右側から見た側方断面図である。
図１に示すように、入出力コネクタ部１１を保持したプリント回路基板１３は、投射レンズ３１の中心を通るレンズ中心水平面Ｓに対して、スクリーン２が配置された側とは反対側（図１では下側）の装置底面１０１側に、レンズ中心水平面Ｓに対して略平行に配置された構成である。この構成によって、プロジェクタ１の投射面における投射レンズ３１の下側（投射レンズ３１に対してスクリーン２の無い側）に入出力コネクタ部１１を配置することができる。これにより、入出力コネクタ部１１に接続されたケーブル類は、投射レンズ３１とは反対側である下側に垂らすことができるので投射映像に対してケーブル類が邪魔になることを防ぐことが出来る。
【００２２】
図７は、プロジェクタ１における排気方向を説明する上面図である。図５に示すように、投射面における投射レンズ３１の左側には排気口６０が配置されており、図７中の矢印Ａ１で示すように、プロジェクタ１の斜め前方に空気を排出する構成である。
プロジェクタ１のように投射距離が短くなった構成では、会議机４２等の載置台のスクリーン２側の先端に置かれることが多く、プロジェクタ１の周辺の投射面側以外には人がいるケースが多く、投射面側は画像投射に対して邪魔になるので人がいることが少ない。また、プロジェクタ１から排出される排気は排気は温度が高く、人に触れると不快に感じる可能性が高い。このため、図７に示すプロジェクタ１のように、投射面側に排気する構成の画像投射装置が多くなってきている。
【００２３】
このように、投射面側に排気する構成であると、本実施形態のプロジェクタ１のように、入出力コネクタ部１１を投射面側に設けた構成では、入出力コネクタ部１１を保持したプリント回路基板１３が高温の空気を排出する排気口６０との距離が近くなり、プリント回路基板１３の昇温を招き、不具合が生じる懸念がある。
これを回避するために、プロジェクタ１は、装置内の空間を水平方向に二つに仕切る仕切り部材を備えた構成となっている。
【００２４】
図８は、プロジェクタ１の装置内の斜視説明図であり、図８（ａ）は、上部外装カバー１ａを取り外した状態のプロジェクタ１の上方斜視図であり、図８（ｂ）は、上部外装カバー１ａと下部外装カバー１ｂとを取り外した状態のプロジェクタ１の下方斜視図である。
図８に示すように、内部モジュールを保持するベース筐体１２は上下方向に各種モジュールを保持する部材であり、仕切り部材として機能する。プロジェクタ１は、ベース筐体１２によって二階建てに構成された形状となっており、ベース筐体１２は、二階部分に光学装置３及び光源装置４を保持しており、一階部分にプリント回路基板１３を保持している。
【００２５】
図９は、ベース筐体１２に対する光学装置３及び光源装置４と、プリント回路基板１３との組み付けの説明図である。
ベース筐体１２によって二階建てに構成することで、図９に示すように、ベース筐体１２の二階部分に対して上から光学装置３及び光源装置４を組み付け、ベース筐体１２の一階部分に対して下からプリント回路基板１３を組み付けることができるので、組立工程が容易になる効果がある。
さらに、熱源である光源装置４や光学装置３とプリント回路基板１３との間に仕切り部材として機能するベース筐体１２が存在するため、熱源からの輻射熱がベース筐体１２に阻まれ、プリント回路基板１３が昇温することを防止できる。
【００２６】
図１０及び図１１は、ベース筐体１２の形状の詳細を示した図であり、特に空気流れを示した図である。
図１０は、ベース筐体１２をプロジェクタ１における左側面側から見た斜視図であり、図１０（ａ）は上方から見た斜視図であって、図１０（ｂ）は図１０（ａ）中のβで示す領域近傍を斜め下方から見た斜視拡大図である。
図１０に示すように、プロジェクタ１の左側面側には一階部分の空間に送り込む空気を取り込む左側吸気口５１が設けられている。図１０中の矢印Ａ２で示すように、左側吸気口５１を通過した空気は、図１０中の矢印Ａ２１で示すように、一階部分の空間を通過してベース筐体１２における二階部分に光源装置４を保持する光源保持部８１の下方の空間に到達する。
【００２７】
図１１は、ベース筐体１２をプロジェクタ１における右側面側から見た斜視図であり、図１１（ａ）は上方から見た斜視図であって、図１１（ｂ）は図１１（ａ）中のγで示す領域近傍を斜め下方から見た斜視拡大図である。
図１１に示すように、プロジェクタ１の右側面側には一階部分の空間に送り込む空気を取り込む右側吸気口５２が設けられている。図１１中の矢印Ａ３で示すように、右側吸気口５２を通過した空気は、一階部分の空間を通過して光源保持部８１の下方の空間に到達する。
【００２８】
図１０及び図１１に示すように、ベース筐体１２は左右両側に吸気口（５１及び５２）があり、両吸気口から吸入された冷却空気は、上述したようにそれぞれ光源保持部８１の下方の空間に到達し、ここで合流する。
光源保持部８１の左右両側には、ベース筐体１２よって仕切られた一階部分の空間と二階部分の空間とを連通する通気口を形成する左側通気部１２１ａと右側通気部１２１ｂとが配置されている。
光源保持部８１の下方の空間で合流した冷却空気は、図１０及び図１１中の矢印Ａ４及びＡ５で示すように、左側通気部１２１ａまたは右側通気部１２１ｂを通過して、二階部分の空間へと進入する。
【００２９】
図１２及び図１３は、プロジェクタ１全体での空気の流れを示している。図１２は、外装カバー（１ａ及び１ｂ）が取り付けられた状態のプロジェクタ１の斜視図であり、図１２（ａ）は背面側斜視図、図１２（ｂ）は正面側斜視図である。図１３は、外装カバー（１ａ及び１ｂ）を取り外し、光源装置４及び光学装置３を取り外した状態のプロジェクタ１の斜視図であり、図１３（ａ）は背面側斜視図、図１３（ｂ）は正面側斜視図である。
【００３０】
上述したように、プロジェクタ１の投射面と略直交する左右両側面には、外部から空気を取りこむ吸気口（５１及び５２）が備えられている。両吸気口からプリント回路基板１３が配置されたベース筐体１２によって形成される一階部分の空間に外部空気が流れ込む。そして、光源保持部８１の下方の空間で両吸気口から取り込まれた外部空気が合流し、光源保持部８１に設けられた通気口からベース筐体１２によって形成される二階部分の空間に流れ、プロジェクタ１の装置外へ排気される流路を備えている。このような流路を備えた構成によって、温度の低い外部空気がプリント回路基板１３を配置した一階部分の空間に流れ込むために、プリント回路基板１３の昇温を防ぐことができる。
【００３１】
また、一階部分の空間に両側面側から外部空気である冷却風が流れ込み、最も温度の高い光源装置４の下方のスペースで合流し、ベース筐体１２の通気口を通過して二階部分の空間に流れ込み、排気ファン１４の働きによって機外に排気される。このように、空気の流れでは、プリント回路基板１３が光源装置４よりも上流側となっているため、光源装置４で暖められた空気がプリント回路基板１３に到達することでプリント回路基板１３への伝達熱を防ぐことができる。
このように、光源装置４とプリント回路基板１３との間にはベース筐体１２の壁があり、さらに、冷却空気の冷却効果によって、輻射熱及び伝達熱を防ぐことができ、プリント回路基板１３の昇温を確実に防止することができる。
なお、図２、図３及び図１３に示すように、プロジェクタ１の右側面側には、二階部分の空間に外部空気を取り込む上部吸気口５３及び上部吸気ファン５４を備えている。
【００３２】
上述した会議机４２等の載置台上のスペースをより有効に使用する構成として、載置台上の有効スペースを拡大するために、プロジェクタ１等の画像投射装置の小型化も要望されている項目の一つである。しかしながら、小型化を行うと内部モジュールの密度が増し、熱源である光源装置４と近接し、回路基板等の耐熱許容温度の低いモジュールも昇温してしまう課題が発生している。
特許文献４には、画像投射装置の小型化、軽量化を達成するために外装部と光学装置との隙間に空気を流し、内部のモジュールと外装内面が突き当たる構成で外装強度を保つ構成が記載されている。この構成は、外装部と光学装置の隙間をダクトとして利用し照明系を冷却する構成であるが、熱源である光源装置の熱をその他モジュールへの熱伝達及び輻射熱を防止する構成に関しては特許文献４に開示されていない。このため、光源装置からの熱が回路基板を昇温させる不具合が発生する可能性がある。
【００３３】
これに対して、本実施形態のプロジェクタ１では、光源装置４からの輻射熱及び伝達熱がプリント回路基板１３を昇温させることを防ぐことができ、プリント回路基板１３の昇温を確実に防止することができる。
【００３４】
図３及び図８等に示すように、プロジェクタ１は、投射レンズ３１の右側に無線によって外部装置との通信するためのネットワーク基板８０を配置している。ネットワーク基板８０は、アンテナ部８３を備えており、このアンテナ部８３による情報通信によってパーソナルコンピューター等の外部装置からの情報の出入力を行う。なお、ネットワーク基板８０の投射面側には、ＬＡＮコネクタ部７２及び第二ＵＳＢ端子７１を配置した側方コネクタ部７０を備えている。また、ネットワーク基板８０から外部へ電磁波が放出されることを防止するために、ネットワーク基板８０のさらに右側面側には電磁シールド部材８２が配置されている。
【００３５】
ネットワーク基板８０も光源装置４からの熱の伝達は防ぎたいが、スペース上の問題から一階部分の空間にネットワーク基板８０を配置することができないため、プロジェクタ１では、二階部分の空間における投射レンズ３１を挟んで光源装置４の反対側にネットワーク基板８０を配置している。投射レンズ３１を間に挟むことで光源装置４からの熱がネットワーク基板８０に伝達することを防止できる。
【００３６】
また、図３及び図８等に示すように、プロジェクタ１の背面側の内部には、電源基板２０が配置されている。電源基板２０は、電源入力部１１０から入力された電力を各装置に向けて伝達する装置である。電源基板２０は、ある程度の長さを必要とし、その長手方向の一端を出力部とし、他端側を入力部とする。
出力部はネットワーク基板８０に近い方が好ましいため、図８（ａ）中の電源基板２０における図中手前側の端部が出力部であり、他端側となる図８（ａ）中の奥側の端部が入力部となる。この入力部は、電源入力部１１０に近い方が好ましいため、電源入力部１１０は電源基板２０の入力部が近くなるプロジェクタ１の左側端部近傍に配置されるレイアウトとなっており、熱源である光源装置４の下方に位置している。
【００３７】
このように、光源装置４から離れた位置に配置することが望ましいネットワーク基板８０がプロジェクタ１の右側端部に配置され、電源基板２０の出力部はネットワーク基板８０と近い方が好ましいため、電源基板２０の長手方向他端側となる入力部は、プロジェクタ１の右側端部近傍となり、電源基板２０の入力部との距離が近い方が好ましい電源入力部１１０もプロジェクタ１の右側端部近傍となる。このようなレイアウトにより、ネットワーク基板８０の昇温を防止しつつ、装置全体の小型化を図ることができる。
【００３８】
上述した実施形態のプロジェクタ１は、図１に示すように、レンズ中心水平面Ｓを挟んでスクリーン２が上方となるように、投射光Ｌを投射する構成であるが、入出力コネクタ部１１に接続されたケーブル類が投射光Ｌを遮らない位置関係であれば、スクリーン２の一部がレンズ中心水平面Ｓよりも下方となるように投射光Ｌを投射する構成としてもよい。
上述した実施形態では、プロジェクタ１の装置底面１０１を載置台に接触させて、載置台上にプロジェクタ１を載置する使用例について説明した。本実施形態で説明したプロジェクタ１は、天井等の上方面に上下反転して固定しても良い。この場合、装置底面１０１を上方面に対して接触させて、ネジや嵌め合い等の固定手段によって、装置底面１０１を上方面に固定する。このとき、入出力コネクタ部１１に接続されたケーブル類は、レンズ中心水平面Ｓよりも下方に垂れ下がらないように、装置底面１０１を固定した上方面側に固定して這わせるように設置する。
【００３９】
以上に説明したものは一例であり、本発明は、次の態様毎に特有の効果を奏する。
（態様Ａ）
光源装置４等の光源と、光源からの光を利用して画像を形成する画像表示素子機構１０等の画像形成部と、画像形成部で形成された画像を外部のスクリーン２等の被投射面に向けて投射光として投射する投射レンズ３１等の投射光学部と、信号ケーブル４４及び電源ケーブル４３等の外部との接続線が接続される入出力コネクタ部１１等の外部接続部とを有し、投射光学部を装置本体の被投射面側の外面に配置するプロジェクタ１等の画像投射装置において、外部接続部を、装置本体の被投射面側の外面であって、会議机４２の上面等の外部の装置設置箇所に対して載置または固定される装置底面１０１等の装置底面が水平となるように設置したときに投射光学部の中心を通るレンズ中心水平面Ｓ等の仮想水平面を挟んで装置底面と同じ側となる部分に配置している。これによれば、上記実施形態について説明したように、外部接続部を装置本体の被投射面側の外面に配置しているため、画像投射装置を載置台に載置したときに、画像投射装置と被投射面との間の空間に外部接続部に接続された接続線を垂らすことができ、外部接続部を、投射光学部投射部の中心を通る仮想水平面を挟んで装置底面と同じ側となる部分に配置することにより、外部接続部に接続された接続線は載置台に支持される装置底面側に垂れ下がり、接続線が投射水平面を挟んで装置底面とは反対側に位置することを防止できるため、接続線が外部接続部から垂れ下がったときに投射光を遮ることを防止できる。このように、外部接続部に接続された接続線は、投射光を遮ることなく画像投射装置と被投射面との間の空間に垂らすことが可能となるため、画像投射装置の背面や左右側面に外部接続部を設けたときのように載置台上に接続線が散乱することがなく、画像投射装置周辺の載置台上の空間をより有効に使用することができる。
（態様Ｂ）
態様Ａにおいて、入出力コネクタ部１１等の外部接続部を備えたプリント回路基板１３等の回路基板をレンズ中心水平面Ｓ等の仮想水平面に対して略平行に配置している。これによれば、上記実施形態について説明したように、板状のプリント回路基板１３を、水平方向に延在するほうに配置することができ、画像投射装置全体の小型化を図ることができる。
（態様Ｃ）
態様ＡまたはＢにおいて、レンズ中心水平面Ｓ等の仮想水平面に対して略平行に装置内の空間を二つに仕切るベース筐体１２等の仕切り部材を備え、二階部分の空間等の仕切り部材によって仕切られた一方の空間に、光源装置４等の光源と、画像表示素子機構１０等の画像形成部と、投射レンズ３１等の投射光学部とを配置し、一階部分の空間等の仕切り部材によって仕切られた他方の空間に、入出力コネクタ部１１等の外部接続部を備えたプリント回路基板１３等の回路基板を配置した。これによれば、上記実施形態について説明したように、仕切り部材によって仕切られた一方の空間に配置された光源と他方の空間に配置された回路基板との間に、仕切り部材が存在するため、光源からの輻射熱のよって回路基板が昇温することを防止することができる。
（態様Ｄ）
態様Ａ乃至Ｃの何れか一つの態様において、左側吸気口５１及び右側吸気口５２等の外部からの空気を一階部分の空間等の他方の空間に取り込む吸気手段と、ベース筐体１２等の仕切り部材における光源装置４等の光源と対向する位置（光源保持部８１等）の近傍に形成され、他方の空間から二階部分の空間等の一方の空間に向かう空気が通過する左側通気部１２１ａ及び右側通気部１２１ｂ等の通気口と、一方の空間の空気を装置外に排出する排気ファン１４及び排気口６０等の排気手段とを備える。これによれば、上記実施形態について説明したように、温度の低い外部空気がプリント回路基板等の回路基板を配置した一階部分の空間等の他方の空間に流れ込むために、回路基板の昇温を防ぐことができる。また、ベース筐体１２等の仕切り部材によって形成される他方の空間の両側端側から外部空気が流れ込み、プロジェクタ１内で最も温度が高くなる光源装置４等の光源の下側スペース（光源保持部８１）で合流し、二階部分の空間等の一方の空間に空気が流れ、排気ファン１４等の排気手段の働きによって機外に排気される。このため、光源と回路基板との間には仕切り部材と冷却風による冷却効果とによって、光源からの輻射熱及び伝達熱が回路基板に伝達することを防ぐことができ、回路基板の昇温を確実に防止することができる。
【符号の説明】
【００４０】
１  プロジェクタ
１ａ  上部外装カバー
１ｂ  下部外装カバー
２  スクリーン
３  光学装置
３ａ  照明機構
３ｂ  投射機構
４  光源装置
５  カラーホイール
６  ライトトンネル
７  リレーレンズ
８  平面ミラー
９  凹面ミラー
１０  画像表示素子機構
１１  入出力コネクタ部
１２  ベース筐体
１３  プリント回路基板
１４  排気ファン
２０  電源基板
３１  投射レンズ
４１  パーソナルコンピューター
４２  会議机
４３  電源ケーブル
４４  信号ケーブル
５１  左側吸気口
５２  右側吸気口
５３  上部吸気口
５４  上部吸気ファン
６０  排気口
７０  側方コネクタ部
７１  第二ＵＳＢ端子
７２  ＬＡＮコネクタ部
８０  ネットワーク基板
８１  光源保持部
８２  電磁シールド部材
８３  アンテナ部
１０１  装置底面
１１０  電源入力部
１１１  アナログデータ入力部
１１２  ビデオＲＣＡ端子
１１３  ＨＤＭＩ端子
１１４  ＵＳＢ端子
１１５  ステレオミニジャック
１２１ａ  左側通気部
１２１ｂ  右側通気部
【先行技術文献】
【特許文献】
【００４１】
【特許文献１】特開平１０−３２５９８２号公報
【特許文献２】特許第４５９８４０９号
【特許文献３】特開２００７−３１６３２０号公報
【特許文献４】特開２００９−１０４０３１号公報
【特許文献５】特開２０１０−２３７３５６号公報
【図１】
2013257375.tif 000003
【図２】
2013257375.tif 000004
【図３】
2013257375.tif 000005
【図４】
2013257375.tif 000006
【図５】
2013257375.tif 000007
【図６】
2013257375.tif 000008
【図７】
2013257375.tif 000009
【図８】
2013257375.tif 000010
【図９】
2013257375.tif 000011
【図１０】
2013257375.tif 000012
【図１１】
2013257375.tif 000013
【図１２】
2013257375.tif 000014
【図１３】
2013257375.tif 000015